(57)【要約】【目的】サーバへのデータの登録の確認情報がユーザ側に通知できるとともにユーザは所望の登録確認通信装置を選択できる。【構成】ユーザは，クライアント端末機２を用いて，画像情報が画像サーバ１に登録されたかどうかの結果の確認をするための登録確認通信装置２，３，４，５または６を選択するとともに，登録するための画像情報を画像サーバ１に送信する。画像サーバ１は，クライアント端末機２から送信された画像情報を登録するとともに，登録が正常に行なわれたどうかの結果を示す通知情報を作成して，ユーザが選択した登録確認通信装置２，３，４，５または６に送信する。【選択図】  図１
2005025444.tif 000002
【特許請求の範囲】
【請求項１】
登録データを保存するための第１のデータベース装置，およびユーザを識別するための識別符号に対応して，上記第１のデータベース装置への登録データの登録結果を確認するための複数種類の登録確認通信装置にそれぞれ対応する送信先情報が格納される第２のデータベース装置にアクセス可能であり，
ユーザの識別符号を入力させるとともに複数種類の登録確認通信装置の中から少なくとも一つを選択させるための画面表示データをクライアント端末機に送信する送信手段，
上記クライアント端末機から送信された識別符号，選択された登録確認通信装置の種類を表す装置選択データおよび上記第１のデータベース装置に登録すべき登録データを受信する受信手段，
上記受信手段によって受信された識別符号および装置選択データを用いて，上記第２のデータベース装置を検索し，対応する送信先情報を読出す送信先検索手段，
上記受信手段によって受信された登録データを第１のデータベース装置に登録する登録手段，
上記登録手段によって登録データが第１のデータベースに登録されたか否かを判定する登録判定手段，
上記登録判定手段による判定結果を表わす通知情報を作成する通知情報作成手段，ならびに
上記通知情報作成手段によって作成された通知情報を，上記送信先検索手段によって読出された送信先の登録確認通信装置に送信する登録確認通信装置の種類に対応して設けられた複数の通知情報送信手段，
を備えたデータ登録サーバ。
【請求項２】
クライアント端末機から複数に分けられた登録データが送信された場合に，上記登録判定手段は，登録データの複数に分けられた部分ごとに第１のデータベース装置に登録されたかどうかを判定し，上記通知情報作成手段は登録データの複数に分けられた各部分について判定結果を表わす通知情報を作成する，請求項１に記載のデータ登録サーバ。
【請求項３】
上記通知情報作成手段によって作成された通知情報を音声信号に変換する音声変換手段をさらに備え，
上記送信先検索手段によって読出された送信先の登録確認通信装置が音声を出力するものである場合に，上記通知情報送信手段は，上記音声変換手段によって変換された音声信号を送信する，請求項１または２に記載のデータ登録サーバ。
【請求項４】
登録データが画像データの場合に，上記通知情報作成手段は，画像データを特定するテキスト情報により通知情報を作成する，請求項１から３のいずれか一項に記載のデータ登録サーバ。
【請求項５】
登録データを保存するための第１のデータベース装置と，ユーザを識別するための識別符号に対応して，上記第１のデータベース装置への登録データの登録結果を確認するための複数種類の登録確認通信装置にそれぞれ対応する送信先情報が格納される第２のデータベース装置とにアクセス可能なデータ登録サーバにおいて，
ユーザの識別符号を入力させるとともに複数種類の登録確認通信装置の中から少なくとも一つ選択させるための画面表示データをクライアント端末機に送信し，
上記クライアント端末機から送信された識別符号，選択された登録確認通信装置を示す装置選択データおよび上記第１のデータベース装置に登録すべき登録データを受信し，
受信した識別符号および装置選択データを用いて，上記第２のデータベース装置を検索し，対応する送信先情報を読出し，
受信した登録データを第１のデータベース装置に登録し，
登録データが第１のデータベース装置に登録されたか否かを判定して判定結果を表わす通知情報を作成し，
作成した通知情報を上記の読出された送信先情報によって特定される登録確認通信装置に送信する，
データ登録サーバの制御方法。
【発明の詳細な説明】
【０００１】
【産業上の利用分野】
この発明は，データベースシステムにおけるデータ登録サーバおよびその制御方法に関する。
【０００２】
【従来技術】
ここでいうデータベースシステムは，データベースを備えたデータ登録サーバとクライアント（端末機）とから構成され，これらがディジタル通信網（インターネットなど）により交信可能なものである。データベースに登録するデータの例として画像データを挙げると，クライアントから画像サーバ（データ登録サーバ）に画像データが送信され，画像サーバにおいてその画像データが画像データベースに登録される。クライアントでは画像データを送信するだけであるから，画像サーバに画像データが確実に受信されたかどうか，受信されたとしても画像データベースに登録されたかどうかは分らない。
【０００３】
画像データを伝送した後，画像データの伝送が正常に行えたか否かの結果の通知を相手に電子メール等を用いて行う画像伝送装置が知られている（例えば，特許文献１参照）。
【０００４】
【特許文献１】
特開平１０−１９０９０７号公報
【０００５】
しかしながら，この画像伝送装置は，画像情報を伝送する側（送信側）から画像情報を受信する側（受信側）に画像伝送の結果を通知するものであり，上記の問題を解決するものではない。
【０００６】
【発明の開示】
この発明は，データベースを備えたデータ登録サーバとクライアント端末機とから構成されるデータベースシステムにおいて，クライアント端末機から登録データをデータ登録サーバに送信したときに，クライアント端末機から送信された登録データがデータ登録サーバのデータベースに登録されたかどうかを表す結果をデータ登録サーバから登録データを送信したクライアントの側に通知することができるようにすることを目的とする。
【０００７】
この発明はまた，クライアント端末機から送信された登録データがデータ登録サーバのデータベースに登録されたかどうかを表わす結果を通知する手段（登録確認通信装置）の種類を，クライアント端末機において選択できるようにすることを目的とする。
【０００８】
この発明によるデータ登録サーバは，登録データを保存するための第１のデータベース装置，およびユーザを識別するための識別符号に対応して，上記第１のデータベース装置への登録データの登録結果を確認するための複数種類の登録確認通信装置にそれぞれ対応する送信先情報が格納される第２のデータベース装置にアクセス可能なものであり，ユーザの識別符号を入力させるとともに複数種類の登録確認通信装置の中から少なくとも一つを選択させるための画面表示データをクライアント端末機に送信する送信手段，上記クライアント端末機から送信された識別符号，選択された登録確認通信装置の種類を表す装置選択データおよび上記第１のデータベース装置に登録すべき登録データを受信する受信手段，上記受信手段によって受信された識別符号および装置選択データを用いて，上記第２のデータベース装置を検索し，対応する送信先情報を読出す送信先検索手段，上記受信手段によって受信された登録データを第１のデータベース装置に登録する登録手段，上記登録手段によって登録データが第１のデータベースに登録されたか否かを判定する登録判定手段，上記登録判定手段による判定結果を表わす通知情報を作成する通知情報作成手段，ならびに上記通知情報作成手段によって作成された通知情報を，上記送信先検索手段によって読出された送信先の登録確認通信装置に送信する登録確認通信装置の種類に対応して設けられた複数の通知情報送信手段を備えている。
【０００９】
この発明によるデータ登録サーバの制御方法は，登録データを保存するための第１のデータベース装置と，ユーザを識別するための識別符号に対応して，上記第１のデータベース装置への登録データの登録結果を確認するための複数種類の登録確認通信装置にそれぞれ対応する送信先情報が格納される第２のデータベース装置とにアクセス可能なデータ登録サーバにおいて，ユーザの識別符号を入力させるとともに複数種類の登録確認通信装置の中から少なくとも一つ選択させるための画面表示データをクライアント端末機に送信し，上記クライアント端末機から送信された識別符号，選択された登録確認通信装置を示す装置選択データおよび上記第１のデータベース装置に登録すべき登録データを受信し，受信した識別符号および装置選択データを用いて，上記第２のデータベース装置を検索し，対応する送信先情報を読出し，受信した登録データを第１のデータベース装置に登録し，登録データが第１のデータベース装置に登録されたか否かを判定して判定結果を表わす通知情報を作成し，作成した通知情報を上記の読出された送信先情報によって特定される登録確認通信装置に送信するものである。
【００１０】
クライアント端末機は，ネットワークを介してデータ登録サーバに交信可能に接続できるものであり，パーソナルコンピュータ，携帯電話機等がこれに含まれる。クライアント端末機は，データ登録サーバの第１のデータベース装置に登録すべき登録データを保持するとともに，この登録データをデータ登録サーバに送信することができる。
【００１１】
登録データは，画像データ（静止画データ，動画データ），その他のデータ，プログラム等を含む。
【００１２】
データ登録サーバは，登録データを保存するための第１のデータベース装置，およびクライアント端末機を使用する会員（以下，ユーザともいう）を識別するための識別符号が格納される第２のデータベース装置を備えているか（この場合もアクセス可能），または接続してアクセス可能なものである。
【００１３】
第２のデータベース装置には，ユーザを識別するための識別符号に対応して，第１のデータベース装置への登録データの登録結果をユーザが確認するための複数種類の登録確認通信装置にそれぞれ対応する送信先情報が格納される。登録確認通信装置は，ネットワーク，電話回線等を通して登録データの登録結果を通知情報として受信し，出力するものであり，パーソナルコンピュータ，電話機，携帯電話機，ファクシミリ装置，ファクシミリ／電話兼用機等を含む。
【００１４】
データ登録サーバは，ユーザの識別符号を入力させるとともに複数種類の登録確認通信装置の中から少なくとも一つの登録確認通信装置を選択させるための画面表示データをクライアント端末機に送信する。したがって，ユーザは，クライアント端末機を用いて複数種類の登録確認通信装置のうち，所望の，または優先度の高い登録確認通信装置を選択することができる。ユーザは複数種類の登録確認通信装置のうちの一つの登録確認通信装置だけでなく，複数種類の登録確認通信装置を選択してもよい。
【００１５】
データ登録サーバは，クライアント端末機から送信された識別符号および選択された登録確認通信装置を示す装置選択データを受信手段によって受信する。データ登録サーバは，受信した識別符号および装置選択データを用いて，第２のデータベース装置を検索し，対応する送信先情報を送信先検索手段によって読出す。
【００１６】
データ登録サーバは，クライアント端末機から送信された登録データを受信手段によって受信する。受信された登録データは，登録手段によって第１のデータベース装置に登録される。
【００１７】
データ登録サーバは，登録判定手段によって登録データが第１のデータベース装置に登録されたかどうかを判定する。データ登録サーバの通知情報作成手段はこの判定結果を表わす通知情報を作成する。
【００１８】
少なくとも登録データが第１のデータベース装置に登録されないと判断した場合に，登録されない旨の結果の通知情報を通知作成手段によって作成する。いうまでもなく，登録データが第１のデータベース装置に登録されたと判断した場合に，登録した旨の結果の通知情報を作成してもよい。
【００１９】
データ登録サーバは，作成された通知情報を，上記の読出された送信先の登録確認通信装置に通知情報送信手段によって送信する。
【００２０】
この発明によると，クライアント端末機から登録データをデータ登録サーバに送信したときに，この送信した登録データがデータ登録サーバに登録されたかどうかを示す結果が，クライアント側に通知されるので，クライアント側では送信した登録データがデータ登録サーバに登録されたかどうかを知ることができる。
【００２１】
登録されたかどうかの通知情報を受取る登録確認通信装置をユーザが選択することができる。ユーザは所望の，優先度の高い，または確度の高い登録確認通信装置を選択することができる。また，登録確認通信装置に対応する送信先情報をあらかじめデータ登録サーバに登録しておくことにより，ユーザは登録確認通信装置を選択するに際して送信先の情報を入力する必要がなく，操作性もよい。
【００２２】
一実施態様として，データ登録サーバは，上記通知情報作成手段によって作成された通知情報を音声信号に変換する音声変換手段をさらに備えている。上記送信先検索手段によって読出された送信先の登録確認通信装置が音声を出力するものである場合に，上記通知情報送信手段は，上記音声変換手段によって変換された音声信号を送信する。これにより，ユーザは通知情報を音声で聞くことができる。
【００２３】
一実施態様において，登録データが画像データの場合に，上記通知情報作成手段は，画像データを特定するテキスト情報により通知情報を作成する。テキスト情報の例としては，画像データを特定する情報（画像ファイル名等），画像撮影日時（画像データ作成日時），画像撮影場所，画像撮影者（画像データ作成者）等の画像撮影情報（画像データ作成情報）等のいずれか一つ，またはその任意の組合せがある。登録データが画像データである場合に，通知情報中に登録の対象である画像データを含ませることも考えられるが，そうすると登録確認通信装置が画像データを充分に表示する能力の低いものであると，充分な登録確認が困難となるおそれがあるが，テキスト情報（文字情報）により通知情報が構成されていれば，画像表示能力の低い登録確認通信装置でも用いることが可能となる。
【００２４】
クライアント端末機から複数に分けられた登録データが送信された場合に，上記登録判定手段は，登録データの複数に分けられた部分ごとに第１のデータベース装置に登録されたかどうかを判定し，上記通知情報作成手段は登録データの複数に分けられた各部分について判定結果を表わす通知情報を作成することが好ましい。
【００２５】
好ましくは，データ登録サーバは，上記登録確通信装置を選択させるためのデータを作成するための選択データ作成手段をさらに備える。上記選択データ作成手段は，上記受信手段によって受信された識別符号と，上記第２のデータベース装置に格納された会員情報とに基づいて，上記識別符号とともに登録されている送信先情報に対応する登録確認通信装置を選択させるように登録確認通信装置を選択させるためのデータを作成する。したがって，ユーザは，あらかじめ送信先情報を登録した登録確認通信装置だけを選択することができ，操作性がよい。
【００２６】
【実施例の説明】
図１は，画像データ登録用のデータベースシステムの全体的構成を示している。
【００２７】
データベースシステムは，画像サーバ（画像登録サーバ，データ登録サーバ）１と，複数台のユーザ端末機（ユーザ端末装置）２とから構成され，これらの画像サーバ１とユーザ端末機２とはインターネット網，その他のネットワークを介して相互に通信可能である。ユーザ端末機を以下単にクライアントという。
【００２８】
図１においては，ユーザＡ，Ｂ，Ｃが代表的に示されている。これらのユーザを区別して言及する必要があるときは，それぞれをユーザＡ，Ｂ，Ｃといい，一括して言及するときは単にユーザという。同じように，各ユーザＡ，Ｂ，Ｃのユーザ端末機をそれぞれ必要に応じてクライアントＡ，クライアントＢ，クライアントＣということにする。クライアント（ユーザ端末機）は典型的にはパーソナルコンピュータであるが，携帯電話機（好ましくは撮像機能付）でもよい。
【００２９】
ユーザＡはこの実施例では，電話機３とファクシミリ装置４とを有している。ユーザＢはファクシミリ／電話兼用機５を有している。ユーザＣは携帯電話機６を有している。これらの電話機３，ファクシミリ装置４，ファクシミリ／電話兼用機５，携帯電話機６，およびパーソナルコンピュータまたは携帯電話機（クライアント）２は，登録確認通信装置である。パーソナルコンピュータまたは携帯電話機はユーザ端末機と登録確認通信装置の両方として機能することが可能である。
【００３０】
電話機３，ファクシミリ装置４，ファクシミリ／電話兼用機５および携帯電話機６は電話網（電話回線網）（有線，無線を問わない）を介して画像サーバ１と交信可能である。
【００３１】
この実施例のデータベースシステムの動作を概観すると次の通りである。
【００３２】
ユーザはクライアント２から画像データをインターネット網を介して画像サーバ１に送信する。このとき，送信した画像データが画像サーバ１に登録されたかどうかの確認の通知情報を，どの種類の登録確認通信装置で受取るかを，ユーザがクライアント２において選択し，選択した結果（選択した登録確認通信装置の種類を示すデータ）をクライアント２から画像サーバ１に送信しておく。画像サーバ１では，クライアント２から送信された画像データを後述する画像データベース装置に登録するとともに，登録が行なわれたか，エラーのために登録が行なわれなかったか等を示す登録判定結果を，選択された登録確認通信装置を通してユーザに通知する。
【００３３】
図２は，画像サーバの構成を示すブロック図である。
【００３４】
画像サーバ１は，ＣＰＵ１１，メモリ１２，ユーザ登録装置（手段）１３，画像撮影情報取得装置（手段）１４，ユーザデータベース装置１５（以下，単に「ユーザＤＢ」という），画像データベース装置１６（以下，単に「画像ＤＢ」という），テキスト情報読上げ装置（手段）１７，通信インターフェイス装置１８（以下，単に「通信Ｉ／Ｆ」という）およびモデム１９を含んでいる。
【００３５】
ＣＰＵ１１は，通信Ｉ／Ｆ１８によるインターネット網を介したクライアント２との通信の制御，モデム１９による電話網を介した登録確認通信装置３，４，５，６等との通信の制御，画像ＤＢ１６への受信画像データの登録の制御，その登録が正常に行なわれたかどうかの判定，この登録判定結果を示す通知情報の作成，通信情報を送信すべき送信先のユーザＤＢ１５における検索，検索した送信先への通信Ｉ／Ｆ１８またはモデム１９による通知の制御等を行うものであり，送信手段の一部，受信手段の一部，登録手段の一部，通知情報作成手段の一部，通知情報送信手段の一部を構成するとともに，送信先検索手段および登録判定手段として機能する。また，ＣＰＵ１１は選択データ作成手段（図６に示す表示画面の「２．登録確認手段」の欄のデータを作成する手段）としても機能する。
【００３６】
メモリ１２は，ＣＰＵ１１による上記の処理のための各種実行プログラム（ＯＳを含む）を格納するとともに，上記の処理における入出力データや中間処理データを一時的に記憶するものである。また，メモリ１２には，通知情報作成のための複数種類の定形文（定形データ）があらかじめ格納されている。
【００３７】
ユーザ登録装置１３は，ユーザのクライアント２から送信されたユーザ情報に基づいてユーザ登録情報（会員情報）を作成し，ユーザＤＢ１５に登録するものである。
【００３８】
ユーザＤＢの一例が図３に示されている。ユーザＤＢには，ユーザごとに，ログインＩＤおよびパスワードに関連付けて，あらかじめユーザから通知された一または複数の登録確認通信装置の送信先情報が登録されている。送信先情報とは，具体的には，パーソナルコンピュータ（クライアント）または携帯電話機を登録確認通信装置とした場合の電子メールアドレス，電話機３，ファクシミリ／電話兼用機５，携帯電話機６を登録確認通信装置とした場合の電話番号，ファクシミリ装置４，ファクシミリ／電話兼用機５を登録確認通信装置とした場合のファクシミリ番号等である。これらの送信先情報はユーザからあらかじめ通知（電子メール，郵送，ファクシミリ，電話などで）されたものである。
【００３９】
画像撮影情報取得装置１４は，ユーザのクライアント２から送信された画像データを含む画像情報に含まれている撮影日時データ，撮影場所データ等の撮影情報を画像情報から抽出し，画像ＤＢ１６に記憶するものである。これらの撮影情報は，画像データに埋め込まれているＥｘｉｆ情報から取得する事が可能である。画像撮影情報取得装置（手段）１４は，画像データを画像ＤＢ１６に登録する際に，クライアント２から送信された画像情報からＥｘｉｆ情報を取得し，これらを画像データとともに画像ＤＢ１６に登録する。画像撮影情報取得装置（手段）１４は，これらの画像撮影情報を取扱う限りにおいて，ＣＰＵ１１とともに登録手段の一部を構成する。
【００４０】
ユーザＤＢ１５は，ユーザ登録装置（手段）１３によって作成されたユーザ情報を登録するものであり，第２のデータベース装置に対応する。
【００４１】
画像ＤＢ１６は，画像データを登録するためのものであり，第１のデータベース装置に対応するとともに，登録手段の一部を構成する。これらの第１のデータベース装置および第２のデータベース装置を他のコンピュータシステムに設け，画像サーバ１がこれらにアクセスできるように構成してもよい。
【００４２】
テキスト情報読上げ装置（手段）１７は，登録判定結果を電話で通知する場合に，登録判定結果を表わす作成された通知情報（テキストデータ）を音声に変換するものであり，通知情報作成手段および通知情報送信手段の一部を構成する。テキスト情報読上げ装置（手段）１７はまた，音声変換手段を構成する。
【００４３】
通信Ｉ／Ｆ１８は，インターネット網に接続され，インターネットを通して画像データ，通知情報を含むデータ等を送受信するものであり，送信手段，受信手段，および通知情報送信手段として機能する。これらのユーザ登録装置（手段）１３，画像撮影情報取得装置（手段）１４，テキスト情報読上げ装置（手段）１７，通信Ｉ／Ｆ１８等は，ハードウエアによって実現することも，一部をハードウエアで実現し，他をソフトウエアを備えたコンピュータによって実現することも，すべてをコンピュータ上のソフトウエアによって実現することもできる。
【００４４】
モデム１９は，電話回線に接続され，電話回線を通して通知情報を含むデータまたは音声を送信するものであり，通信情報送信手段に対応する。
【００４５】
図４および５は，データ登録システムにおいて，主にユーザのクライアント２と画像サーバ１との間の交信の様子を示すものである。図４は通信障害等の発生がなく，クライアント２から送信された画像データが画像サーバの画像ＤＢ１６に正常に登録された場合を，図５は通信障害等が発生することにより，クライアント２から送信された画像データの一部が登録されなかった場合をそれぞれ示す。
【００４６】
ユーザは，クライアント２を用いて，例えば，通信プログラム（ブラウザ等）を起動し，画像サーバ１のＵＲＬ（Ｕｎｉｆｏｒｍ  Ｒｅｓｏｕｃｅ  Ｌｏｃａｔｏｒ）を入力する。ログイン要求データがクライアント２から画像サーバ１に送信される（ログイン要求）。これに応答して，画像サーバ１からクライアント２に，ログインＩＤおよびパスワードの入力を促すためのウインドウ（表示画面）を表示するためのデータ（ウインドウ・データ，例えば，ＨＴＭＬデータ）（あらかじめ，画像サーバ１のメモリ１２に記録されている）が画像サーバ１の通信Ｉ／Ｆ１８によりインターネット網を通して送信される。クライアント２には，ログインＩＤおよびパスワードを入力するためのウインドウ（表示画面）が表示される（図示略）。ユーザは，クライアント２にログインＩＤおよびパスワードを入力する。入力されたログインＩＤおよびパスワードはクライアント２からインターネット網を通して画像サーバ１に送信される。
【００４７】
画像サーバ１は，受信したログインＩＤおよびパスワードの対が，ユーザＤＢ１５に登録されているかどうかを判断する。受信したログインＩＤおよびパスワードの対とユーザＤＢ１５に登録されている会員情報のログインＩＤおよびパスワードの対のいずれかとが一致すると，その旨を示すメッセージとともに（ログイン認証），サービス選択画面（ウインドウ）を示すデータが画像サーバ１からクライアント２に送信される。クライアント２の表示画面にサービスの種類を列挙したサービス選択画面（ウインドウ）が表示されるので，ユーザはサービスの種類の中から画像登録を選択する。画像登録を選択した旨のデータがクライアント２から画像サーバ１に送信される（画像登録開始の要求）。画像サーバ１が画像データの登録のみを行う場合には，画像サーバ１からクライアント２に画像登録を開始しますかという問合せの画面データが送られ，その画面がクライアント２に表示されるので，ユーザは画像登録開始の旨を入力する。この画像登録開始の旨を表わすデータがクライアント２から画像サーバ１に送信される（画像登録開始の要求）。受信したログインＩＤおよびパスワードの対が，ユーザＤＢ１５に登録されている会員情報のログインＩＤおよびパスワードの対と一致しない場合には，画像サーバ１は，再度，クライアント２にログインＩＤおよびパスワードを入力するためのウインドウ（表示画面）を送信する。ユーザのクライアント２には，ログインＩＤおよびパスワードを入力するためのウインドウ（表示画面）が表示されるので，ユーザはログイン操作を繰返すことができる。
【００４８】
画像サーバ１が画像登録の開始の要求を受信すると，画像サーバ１は，画像登録ウインドウ（表示画面）を表示するためのデータを通信Ｉ／Ｆ１８からインターネット網を介してクライアント２に送信する（登録ウインドウの送信）。
【００４９】
クライアント２が画像登録ウインドウを含む画面を表示するためのデータを受信すると，クライアント２の表示画面には，画像登録ウインドウｗが表示される。画像登録ウインドウｗの画面の例が図６に示されている。画像登録ウインドウｗには，画像サーバ１の画像ＤＢ１６に登録する画像情報のファイル名を入力するためのファイル名入力ボックスａが現われる。このボックスａの数はファイル名を入力するごとに増えていく。ファイル名入力ボックスａの下には，登録確認通信装置（電話，電子メール，ＦＡＸ）（電話は携帯電話機を含む，電子メールは携帯電話機を含む，ＦＡＸはファクシミリ／電話兼用機を含む。）を選択するための登録確認通信装置選択ボタンｂが現われている。さらに登録確認通信装置選択ボタンｂの下には，送信ボタンｃおよびキャンセルボタンｄが表示される。
【００５０】
登録確認通信装置選択ボタンｂは，上述したユーザＤＢ１５にあらかじめ登録されたユーザ情報内に電子メールアドレス，電話番号，ファクシミリ番号のうち登録されていないものがある場合には，その登録されていない送信先のアドレスまたは番号に対応する登録確認通信装置は表示されない。または表示されていても選択できないようにしてもよい。登録確認通信装置選択ボタンｂは，押下されると押下されたボタンには色が付されるまたは印が付される等，選択されたことがユーザにわかるようになっている。
【００５１】
ユーザは，複数の登録確認通信装置を選択してもよい。クライアント２から送信する画像データを含む画像情報が画像サーバ１に登録されたかどうかの確認を必要としない場合には，登録確認通信装置選択ボタンｂを押下しなくてもよい。
【００５２】
ユーザは，画像サーバ１に登録したい画像情報のファイル名をファイル名入力ボックスａに入力する（たとえば，ｘｘｙｙｚｚ．ＪＰＧ，  ｘｙｘｙｚｚ．ＪＰＧ，  ｘｙｚｘｙｚ．ＪＰＧ  ）。いずれか一つまたは複数の登録確認通信装置選択ボタンｂを押下（表示画面の対応箇所をタッチすること）した後に，または選択ボタンｂを押下しないで送信ボタンｃを押下すると，クライアント２は，入力されたすべてのファイル名および選択された登録確認通信装置を示す装置選択データを画像サーバ１にインターネット網を介して送信する（ファイル名，装置選択データ送信）。
【００５３】
キャンセルボタンｄが押下された場合には，画像情報登録処理は中止される。すなわち，クライアント２と画像サーバ１との通信は切断される。
【００５４】
画像サーバ１は，ファイル名および装置選択データを受信すると受信したファイル名および装置選択データをメモリ１２に記憶し，画像情報の登録ができる旨の信号（データ）をインターネット網を介してクライアント２に送信する（画像情報登録開始）。
【００５５】
クライアント２は，画像情報の登録ができる旨の信号を受信すると，画像情報（例えば，ファイル名ｘｘｙｙｚｚ．ＪＰＧに対応する画像データを含む画像情報）をインターネット網を介して画像サーバ１に送信する。
【００５６】
画像サーバ１は，通信Ｉ／Ｆ１８を介してクライアント２から送信された画像情報（ファイル名ｘｘｙｙｚｚ．ＪＰＧに対応する画像情報）を受信する。画像サーバ１は，通信Ｉ／Ｆ１８とクライアント２との通信に障害が発生していないかどうかを判断する。通信が切断されることなく画像情報が受信されると，受信した画像情報をメモリ１２に一時的に記憶する。画像サーバ１では，画像情報の受信が完了すると，画像撮影情報取得装置１４がメモリ１２に記憶された画像情報に含まれる画像撮影情報のうちの撮影日時データおよび撮影場所のデータを読出し，これらの画像撮影情報と画像データをそのファイル名と関連付けて画像ＤＢ１６に登録する。
【００５７】
画像サーバ１は，受信した１ファイル分の画像情報が画像ＤＢ１６に登録されたことを確認すると，その画像情報について受信完了の旨を示す信号をクライアント２にインターネット網を介して送信する。クライアント２は，受信完了の旨の信号を受信すると，画像サーバ１に登録すべき画像情報がまだ存在するかどうかをチェックし，存在する場合には，画像サーバ１に次の画像情報を送信する。
【００５８】
画像サーバ１は，残りの画像情報（例えば，ファイル名  ｘｙｘｙｚｚ．ＪＰＧおよびファイル名  ｘｙｚｘｙｚ．ＪＰＧに対応する画像情報）について，クライアント２から送信されてくる毎に，上述と同様の処理を順次繰り返し，最後に，後述するように，すべての画像情報が画像ＤＢ１６に登録された旨を示す通信情報を作成して送信する処理に移る。クライアント２は，画像サーバ１に登録すべき画像情報がなくなるまで（送信したファイル名に対応するすべての画像情報を送信するまで）上述の処理を繰返し，すべての画像情報を送信した後，受信完了の信号を画像サーバ１から受信すると，画像情報の登録を終了し，画像サーバ１との通信を切断する。以上の処理は図４に示されている。
【００５９】
クライアント２から画像サーバ１に送信された画像情報が，画像ＤＢ１６に登録されたということは，画像情報の通信に障害がなかったこと，画像情報から画像撮影情報が抽出できたこと，そして画像データが画像ＤＢ１６に登録されたことを意味する。ＣＰＵ１１はこれらの動作が正常に実行されたかどうかをチェックする。もっとも，ＣＰＵ１１は，画像データが画像ＤＢ１６に登録されたことだけをチェックするだけでもよい。
【００６０】
いずれにしても，クライアント２から送信されメモリ１２に一時記憶された１または複数のファイル名で識別されるすべての画像情報（画像データ）が画像ＤＢ１６に登録されたことが確認されると，画像サーバ１はその旨を示す通知情報の作成処理に移る。
【００６１】
画像サーバ１（ＣＰＵ１１）は，画像情報を送信してきたユーザについて，先に送信され，メモリ１２に一時記憶した装置選択データを読出し，ユーザＤＢ１５を検索して，該当ユーザの装置選択データによって示される送信先情報（電子メールアドレス，電話番号またはファクシミリ番号）を読出す。またＣＰＵ１１は，読出した送信先情報によって示される登録確認通信装置（パーソナルコンピュータ，携帯電話機，電話機，ファクシミリ装置など）に適した定形のテキストデータをメモリ１２から読出し，先に受信しメモリ１２に一時記憶したファイル名や，画像ＤＢ１６に記憶した撮影情報を読出し，テキストデータの所定箇所に挿入することにより，登録確認メッセージを作成する。作成したメッセージは，選択された登録確認通信装置に，通信Ｉ／Ｆ１８からインターネット網を通して（電子メールの場合），またはモデム１９から電話網を通して（電話またはファクシミリの場合）送信される。
【００６２】
図７は，電子メールによりユーザが受信した登録された旨の通知情報の例を示す。ユーザの携帯電話機またはパーソナルコンピュータの表示画面上の表示において，通知の上部には，差出人として画像サーバ１の電子メールアドレスが表示され，宛先としてユーザのログインＩＤが表示されている。通知の中央部には，登録された旨の文章と画像ＤＢ１６に登録されたすべての画像情報のファイル名とともに画像情報の撮影日時，撮影場所とが表示されている。
【００６３】
図８は，ファクシミリ装置によりユーザが受信した登録された旨の通知情報の例を示す。印字された用紙の上部には，差出人として画像サーバ１の電話番号，ファクシミリ番号が記載され，宛先としてユーザのログインＩＤが表示されている。通知の中央部には，登録された旨の文章と画像ＤＢ１６に登録されたすべての画像情報のファイル名とともに画像情報の撮影日時，撮影場所とが記載されている。
【００６４】
登録確認通信装置が電話機である場合には，画像サーバ１は，モデム１９を介して上述した読出した電話番号を呼出す。電話回線が接続されると，画像サーバ１のテキスト情報読上げ装置１７が既に作成された登録確認通知の文章，データを音声信号に変換するので，この音声信号がユーザの電話機に送信される。
【００６５】
図５に示すように，通信障害等により画像サーバ１の通信Ｉ／Ｆ１８とクライアント２との通信が画像情報を受信中に切断されたとき，その他の事由により画像データが画像ＤＢ１６に登録されなかったときには，メモリ１２に一時的に記憶したファイル名をチェックして，登録されなかった画像情報のファイル名と，登録された画像情報のファイル名とを読出す（たとえば，画像情報が登録されたときに該当するファイル名に登録フラグを立てておく）。登録された画像情報がある場合と，一つもない場合とでは，登録確認通知の内容が異なるので，そのときの登録情況に応じたテキストデータをメモリ１２から読出す。
【００６６】
登録されていない画像情報がある場合には，画像サーバ１は，メモリ１２から受信中である筈のファイル名を読出し，読出したファイル名を画像情報が登録できない旨を表わすテキスト（あらかじめ画像サーバ１のメモリ１２に記憶されている）またはテキストの部分に加え，登録できない旨の通知情報を作成する。
【００６７】
既に画像ＤＢ１６に登録された画像情報がある場合には，画像サーバ１は画像ＤＢ１６に登録されたファイル名およびファイル名と関連付けて記憶された撮影日時データおよび撮影場所データを読出す。画像サーバ１は読出したファイル名，撮影日時データおよび撮影場所データを，画像情報が既に登録された旨を表わすテキスト（あらかじめ画像サーバ１のメモリ１２に記憶されている）（またはテキスト部分）に加えて登録された旨を表わす通知情報を作成し，上記の登録できない旨を表わす通知情報に加える。
【００６８】
たとえば，図５に示す例のように，ファイル名ｘｘｙｙｚｚ．ＪＰＧおよびｘｙｘｙｚｚ．ＪＰＧに対応する画像情報は，既に画像ＤＢ１６に登録されている。ファイル名ｘｙｚｘｙｚ．ＪＰＧに対応する画像情報を受信しているときに通信障害等により通信が切断されると，画像サーバ１は，メモリ１２からファイル名ｘｙｚｘｙｚ．ＪＰＧを読出し，読出したファイル名ｘｙｚｘｙｚ．ＪＰＧと登録できない旨を表わす文章等とから登録できない旨の通知情報を作成する。さらに画像サーバ１は，既に画像ＤＢ１６に登録されたファイル名ｘｘｙｙｚｚ．ＪＰＧおよびｘｙｘｙｚｚ．ＪＰＧと，これらのファイル名のそれぞれに関連付けて記憶された撮影日時のデータおよび撮影場所のデータとを読出し，読出したファイル名，撮影日時のデータおよび撮影日時のデータを，既に登録された旨を表わす文章に加え，これを上記の登録できない旨の通知情報に加える。
【００６９】
図９は，電子メールによりユーザが受信した，登録できない旨を含むの通知情報の出力例を示す。図７に示すものと同様に，通知の上部には，差出人として画像サーバ１の電子メールアドレスが表示され，宛先としてユーザのログインＩＤが表示されている。出力された通知の中央部には，登録された旨の文章と画像ＤＢ１６に登録された画像情報のファイル名とともに画像情報の撮影日時，撮影場所が表示されている。その下には，登録できない画像情報のファイル名と登録できなかった旨の文章が記載されている。
【００７０】
図１０は，ファクシミリ装置によりユーザが受信した，登録できない旨の文章を含む通知情報の出力例を示す。図８に示すものと同様に，通知の上部には，差出人として画像サーバ１の電話番号，ファクシミリ番号が表示され，宛先としてユーザのログインＩＤが記載されている。通知の中央部には，登録できた旨の文章と画像ＤＢ１６に登録された画像情報のファイル名とともに画像情報の撮影日時，撮影場所とが記載されている。その下には，登録できない画像情報のファイル名と登録できなかった旨の文章が記載されている。
【００７１】
複数の登録確認通信装置が選択されている場合には，画像サーバ１は，選択された登録確認通信装置に対応する送信先情報を作成し，上述と同様にそれぞれの登録確認通信装置に通知情報を送信する。ユーザが登録ウインドウｗで登録確認通信装置を選択しない場合には，一般には登録確認情報は画像サーバから送信されないが，そのユーザについて登録されたものがあれば，そのいずれかの登録確認通信装置を画像サーバ１が自動的に選択して送信するようにしてもよい。
【００７２】
図１１および図１２は，ユーザ端末機から１つの画像ファイルが送信された場合に，登録された旨を示す確認情報の電子メール画面およびファクシミリ出力の例を示すものである。
【００７３】
このようにデータベースシステムにおいて，ユーザは携帯電話機またはパーソナルコンピュータを用いて，画像登録をするときに，登録確認通信装置を選択することができるので，ユーザは信頼性の高く（通信接続性が良く），自分に都合のよい登録確認通信装置を選ぶことができる。したがって，携帯電話機を用いればユーザは外出先からであっても画像情報登録をすることができるとともに，外出先であっても登録結果の確認をすることもできる。また，登録確認通信装置を選択するときに送信先情報を入力する必要がないため操作も容易である。とくにユーザが携帯電話機から画像情報を登録する場合に，登録された画像を画像サーバから送信しても携帯電話機では画像表示能力が低いので確認しにくいが，上記実施例のようにファイル名や撮影情報等のテキスト情報からなる登録可否情報を通知することにより，確認が容易となる。また，動画データのようにデータ量が多い場合には登録に時間がかかるので一方でユーザ端末機から画像情報を送信しておき，他方でユーザ端末機とは別の登録確認通信装置で確認情報を受取るという使い方も可能である。
【図面の簡単な説明】
【図１】データベースシステムの全体的構成を示す。
【図２】画像サーバの構成を示すブロック図である。
【図３】ユーザデータベースの一例を示す。
【図４】データベースシステムにおいて，すべての画像情報が正常に通信された場合のユーザ端末機と画像サーバとの通信の様子を示す。
【図５】データベースシステムにおいて，通信障害等が発生した場合のユーザ端末機と画像サーバとの通信の様子を示す。
【図６】登録画面の一例を示す。
【図７】電子メールによりユーザが受信した登録できた旨の通知情報の出力画面例を示す。
【図８】ファクシミリによりユーザが受信した登録できた旨の通知情報の出力例を示す。
【図９】電子メールによりユーザが受信した登録できない旨の文章を含む通知情報の出力例を示す。
【図１０】ファクシミリによりユーザが受信した登録できない旨の文章を含む通知情報の出力例を示す。
【図１１】電子メールにより，ユーザが受信した，登録できた旨の通知情報の出力画面例を示す。
【図１２】ファクシミリにより，ユーザが受信した登録できた旨の通知情報の出力例を示す。
【符号の説明】
１  画像サーバ
２  クライアント
３  電話機
４  ファクシミリ装置
５  ファクシミリ／電話兼用機
６  携帯電話機
１１  ＣＰＵ
１２  メモリ
１４  画像撮影情報取得装置
１５  ユーザデータベース装置
１６  画像データベース装置
１７  テキスト情報読上げ装置
１８  通信インターフェイス装置
１９  モデム
【図１】
2005025444.tif 000003
【図２】
2005025444.tif 000004
【図３】
2005025444.tif 000005
【図４】
2005025444.tif 000006
【図５】
2005025444.tif 000007
【図６】
2005025444.tif 000008
【図７】
2005025444.tif 000009
【図８】
2005025444.tif 000010
【図９】
2005025444.tif 000011
【図１０】
2005025444.tif 000012
【図１１】
2005025444.tif 000013
【図１２】
2005025444.tif 000014